(57)【要約】  【課題】    近年省電力照明装置ディスチャージシステム又はＨＩＤ及びＬＥＤの開発により発光部の熱量が減少する事により降雪時に灯火装置に着雪し著しく照度や視認性が低下してしまうという不具合を解決する灯火類を提供する  【解決手段】    灯火類のプラスチック部に透明フィルムヒーターシステムを選択図の符号Ａ、Ｂ、Ｃ、Ｊ部に施工しこの問題を解決するもしくはケーシング、透光性ケースを積層構造にし内部に発熱体を施工するあるいはケーシング、透光性ケースに適宜な止め方で発熱体を取り付けることにより解決する  【選択図】  図１０
2008140607.tif 000002
【特許請求の範囲】
【請求項１】
照明体灯火類のケーシングもしくはケーシングの開口部に取り付けられた透光性カバーに付着した氷雪を融解する装置であって、前記ケーシングもしくは透過性カバーには発熱体が設けられている事を特徴とする氷雪融解装置
【請求項２】
車両や重機の灯火類のケーシングもしくはケーシングの開口部に取り付けられた透光性カバーに付着した氷雪を融解する装置であって、前記ケーシングもしくは透光性カバーには発熱体が設けられている事を特徴とする氷雪融解装置
【請求項３】
前記発熱体は請求項１請求項２のケーシングの内外域に設けられている事を特徴とする氷雪融解装置
【請求項４】
前記発熱体は透光性カバーの内外域に設けられている事を特徴とする氷雪融解装置、透光性とは光源が物質を通過しうる性質をいう
【請求項５】
前記加熱体は透光性カバーと一体形成されている事を特徴とする氷雪融解装置
【請求項６】
照明体の透光性カバーもしくはケーシングが積層構造となっている事を特徴とする氷雪融解装置
【請求項７】
照明体の透光性カバーもしくはケーシングが積層構造になっておりその積層部に発熱体が設けられている事を特徴とする氷雪融解装置
【請求項８】
照明体のケーシングもしくは透光性カバーに発熱体を適宜な方法で取り付けられている事を特徴とする氷雪融解装置
【請求項９】
前記発熱体は透明状の材質で形成されている事を特徴とする氷雪融解装置
【請求項１０】
前記発熱体は熱伝導性を有する材質を使用している事を特徴とする氷雪融解装置
【請求項１１】
発熱体とは低抵抗型の透明導電膜フィルムに通電させることにより発熱が得られます事を特徴とする照明体
【請求項１２】
車両や重機の灯火類の透光性プラスチックを積層構造であり、その中間面に透明でかつ加熱作用を持っているフィルムヒーターもしくは熱伝導性を有する事を特徴とする照明体
【請求項１３】
請求項１〜１２に記載の光源は蛍光灯や水銀灯や電球や省電力発光システムディスチャージランプやＨＩＤやＬＥＤ有する事も特徴とする照明体  ディスチャージヘッドライトとは従来のフィラメントを発光させるハロゲンバルブとは異なり電圧変換器によりＤＣ１２Ｖを約ＡＣ２０，０００Ｖに変換しバルブ内にキセノンガスを有し異なる極性電極間に高電圧スパークにより発光させるタイプでフィラメントを持たない灯火装置能の事でＨＩＤとはＨＩＧＨ  ＩＮＴＥＮＳＩＴＹ  ＤＩＳＣＨＡＲＧＥＤ  ＬＡＭＰの略でディスチャージランプと同様でフィラメントを使用せず放電時の発光を利用した灯火装置。そしてＬＥＤとは電流を流すと発光する半導体素子の一種。アノードとカソードの２つの端子があり、アノードに正、カソードに負の電圧をかけると、約２Ｖの電圧で電流が流れ始め、発光する灯火類ＤＣは直流電流を指しＡＣは交流電流を示す
【発明の詳細な説明】
【技術分野】
【０００１】
本発明は照明体もしくは車両灯火類に関する物であり、灯火類の透光性プラスチック部に透明フィルムヒーターを有し灯火類の凍結や着雪を防止する為のものである
【背景技術】
【０００２】
外車などは前照灯にワイパーを設置する事により着雪を防いでいるがふき残りがあり停車時に着雪した物は氷となりワイパーのみではライトの表面から氷雪を除去できない
【特許文献１】特開２００３−１９７０１３号公報
【特許文献２】特開２００２−２１１３０９号公報
【特許文献３】特開２００２−１５０８１２号公報
【特許文献４】特開２００２−１６６７７８号公報
【特許文献５】特開２００５−１２２９７８号公報などの熱線を使用する場合は照射光が当たる透過性プラスチック部には光の通過を妨げる様な物は保安基準上通過できない及び内部にて炭素系発熱ヒーターによる内部空気の過熱の場合は発熱ヒーターの形状により光の照射を妨げになり道路運送車両の保安基準を通過できない可能性がある。赤外線の場合は灯火類においてフロントに設置する場合は基本的に赤色は道路運送車両の保安基準を通過できない「前照灯等第３２条２項（５）前照灯の灯光の色は白色又は淡黄色であり、そのすべてが同一であること」。従来リアーガラスには熱線が装着されておりますが前照灯には前記述にあるような道路運送車両の保安基準がある為に施工されずにいました  今回取得しようとする特許は透明フィルムヒーターによりまったく前照灯やその他の灯火類の照射光を妨げなく均一に熱を効率よく行渡らせ前照灯透光性プラスチック部に着雪した氷雪を効率よく除去できるものである。
【発明の開示】
【発明が解決しようとする課題】
【０００３】
しかし従来のような照明体だけでは降雪時などに照明体の表面に着雪して夜間視野が極端に悪化し非常に不便であり現在省電力発光システム、ディスチャージヘッドランプにより前照灯発光体事態の熱量がなく前照灯透過性プラスチック部に着雪してしまう。本発明はこのような着雪した雪が招く不具合を解決する事を課題とする。
【課題を解決するための手段】
【０００４】
この課題を解決する為前記の発明は灯火類の透過性プラスチック部に透明フィルムヒーターを設けた事を特徴とする。この融雪ヒーター部分が発熱する事でケーシング部に均一に熱が伝導し着雪やすでに付着している氷雪を除去できる。
【０００５】
前照灯内部にヒーター装置を有する事を特徴とする融雪前照灯である。走行時にも融雪してくれる為降雪の多い時前照灯が雪に覆われ極端に光量が奪われ運転者の視界を阻む事がなくなり安全である。
【発明の効果】
【０００６】
この発明により降雪時照明体への雪の付着がなくなり夜間の視覚が確保され全な運転や視野の維持が遂行されます
【発明を実施するための最良の形態】
【０００７】
街灯の照明体のケーシング部に発熱体をケーシングもしくは透光性ケース部に設ける事により照明体上部に降り積もる雪を融解し除去でき、照明体の透光性ケース部に付着した氷雪を融解できる  図１、図２参照
【０００８】
信号機の照明体のケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる  図３、図４参照
【０００９】
自動車の照明体、前照灯並びにテールランプや霧灯や方向指示器等の照明体のケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる
図６、図７、図８参照
【００１０】
重機の照明体前照灯並びにテールランプや霧灯や方向指示器等の照明体のケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる
【００１１】
鉄道車両の照明体前照灯並びにテールランプや霧灯や方向指示器等の照明体のケーシング部に発熱体をケーシングもしくは透過性ケース部もしくは遮光板に設ける事により照明体上部に降り積もる雪を融解し除去でき、照明体の透光性ケース部に付着した氷雪ならびに遮光板に積もる氷雪も融解できる  図５、図６参照
【００１２】
門灯の照明体前照灯並びにテールランプや霧灯や方向指示器等の照明体のケーシング部に発熱体をケーシングもしくは透光性ケース部もしくは遮光板に設ける事により照
明体上部に降り積もる雪を融解し除去でき、照明体の透光性ケース部に付着した氷雪ならびに遮光板に積もる氷雪も融解できる
【００１３】
道路に埋められている車線表示灯照明体前照灯並びにテールランプや霧灯や方向指示器等の照明体のケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる
【００１４】
道路工事に使う警告掲示板照明体前照灯並びにテールランプや霧灯や方向指示器等の照明体のケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる
【００１５】
踏み切り遮断機の照明体前照灯並びにテールランプや霧灯や方向指示器等の照明体のケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる  図４参照
【００１６】
高速道路の分岐灯の照明体、ケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる  図４参照
【００１７】
緊急車両もしくは重機における回転灯照明体前照灯並びにテールランプや霧灯や方向指示器等の照明体のケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる
【００１８】
道路情報掲示板の照明体ケーシング部に発熱体をケーシングもしくは透光性ケース部もしくは遮光板に設ける事により照明体上部に降り積もる雪を融解し除去でき、照明体の透光性ケース部に付着した氷雪ならびに遮光板に積もる氷雪も融解できる
【産業上の利用可能性】
【００１９】
本発明に係る前照灯は工業的に量産する事が可能であるため、産業上の利用可能性を有する。
【図面の簡単な説明】
【００２０】
【図１】一般的な街灯の形状を示した図
【図２】街灯の展開図
【図３】一般的な信号の形状を示した図
【図４】信号部の拡大図
【図５】鉄道車両の形状を示した図
【図６】鉄道車両の灯火類の展開図
【図７】一般的な車両の形状を示した図
【図８】車両の灯火類の拡大図
【図９】車両の灯火類の展開図
【図１０】積層構造の一例
【符号の説明】
【００２１】
Ａ  ケーシング
Ｂ  透光性ケース
Ｃ  遮光部
Ｄ  光源
Ｅ  前照灯
Ｆ  霧等もしくは方向指示器
Ｇ  側方灯
Ｈ  路肩灯
Ｉ  制動灯もしくは方向指示器
Ｊ  レフレクタ
Ｋ  発熱体
Ｌ  光の通過
【図１】
2008140607.tif 000003
【図２】
2008140607.tif 000004
【図３】
2008140607.tif 000005
【図４】
2008140607.tif 000006
【図５】
2008140607.tif 000007
【図６】
2008140607.tif 000008
【図７】
2008140607.tif 000009
【図８】
2008140607.tif 000010
【図９】
2008140607.tif 000011
【図１０】
2008140607.tif 000012